(57)【要約】【課題】必要に応じてマルチキャストアドレスを変更する。【解決手段】監視カメラ４−１、４−２により得られる映像をネットワーク１を介して配信する映像配信装置２−１、２−２と、この映像配信装置２−１、２−２から配信される映像をネットワーク１を介して取り込み表示する映像表示端末３−１、３−２とを具備し、前記映像の配信をマルチキャストアドレスにより行うカメラ映像監視システムにおいて、前記映像配信装置２−１、２−２が映像を送る際に用いるマルチキャストアドレスを変更する変更手段６を備えている。【選択図】  図１
2004235880.tif 000002
【特許請求の範囲】
【請求項１】
カメラにより得られる映像をネットワークを介して配信する映像配信装置と、この映像配信装置から配信される映像をネットワークを介して取り込み表示する映像表示端末とを具備し、前記映像の配信をマルチキャストアドレスにより行うカメラ映像監視システムにおいて、
前記映像配信装置が映像を送る際に用いるマルチキャストアドレスを変更する変更手段を備えていることを特徴とするカメラ映像監視システム。
【請求項２】
前記映像表示端末には、１または２以上のマルチキャストアドレスが予め設定されており、映像表示端末は、設定されているマルチキャストアドレスを用いて映像を取り込み表示することを特徴とする請求項１に記載のカメラ映像監視システム。
【請求項３】
前記変更手段は、前記映像配信装置が映像を送る際に用いるマルチキャストアドレスの変更に応じて、前記映像表示端末が映像を受け取る際に用いるマルチキャストアドレスを変更することを特徴とする請求項１に記載のカメラ映像監視システム。
【請求項４】
前記変更手段は、前記映像表示端末の権限情報に基づいて前記映像表示端末が映像を受け取る際に用いるマルチキャストアドレスを変更するか否かを決定することを特徴とする請求項３に記載のカメラ映像監視システム。
【発明の詳細な説明】
【０００１】
【発明の属する技術分野】
この発明は、カメラ映像監視システムに関するものであり、特に、カメラにより得られる映像をネットワークを介して配信する映像配信装置と、この映像配信装置から配信される映像をネットワークを介して取り込み表示する映像表示端末とを具備し、映像の配信をマルチキャストアドレスにより行うカメラ映像監視システムに関するものである。
【０００２】
【従来の技術】
従来、カメラ映像監視を行うために、映像をＩＰ（インターネット・プロトコル）によって配信する際に配信装置の負荷軽減やネットワーク伝送路の帯域節約のためマルチキャストを利用したシステムが知られている。
【０００３】
例えば、特開２００２−２９０４５８号には、データの送信毎に、マルチキャストする宛先情報をセンタに通知し、センタが指示に応じてマルチキャストを行うシステムが示されている。
【０００４】
【特許文献１】特開２００２−２９０４５８号公報（全般）
【０００５】
【発明が解決しようとする課題】
しかしながら、従来のシステムにおいては、マルチキャストアドレスは固定のものであって、このマルチキャストアドレスを用いることにより誰でもマルチキャストされるデータを取得することができる。
【０００６】
従って、配信する映像を表示できる端末を制限したり、また制限を解除したり動的な聴取制御を行うことができなかった。
【０００７】
本発明は上記のような従来のカメラ映像監視システムが有している問題点を除去せんとしてなされたもので、その目的は必要に応じてマルチキャストアドレスを変更することができ、これによって、配信する映像を表示できる端末を制限したり、また制限を解除したり動的な聴取制御を行うことが可能なカメラ映像監視システムを提供することである。
【０００８】
【課題を解決するための手段】
本発明に係るカメラ映像監視システムは、カメラにより得られる映像をネットワークを介して配信する映像配信装置と、この映像配信装置から配信される映像をネットワークを介して取り込み表示する映像表示端末とを具備し、前記映像の配信をマルチキャストアドレスにより行うカメラ映像監視システムにおいて、前記映像配信装置が映像を送る際に用いるマルチキャストアドレスを変更する変更手段を備えていることを特徴とする。
【０００９】
本発明に係るカメラ映像監視システムでは、前記映像表示端末には、１または２以上のマルチキャストアドレスが予め設定されており、映像表示端末は、設定されているマルチキャストアドレスを用いて映像を取り込み表示することを特徴とする。
【００１０】
本発明に係るカメラ映像監視システムでは、前記変更手段は、前記映像配信装置が映像を送る際に用いるマルチキャストアドレスの変更に応じて、前記映像表示端末が映像を受け取る際に用いるマルチキャストアドレスを変更することを特徴とする。
【００１１】
本発明に係るカメラ映像監視システムでは、前記変更手段は、前記映像表示端末の権限情報に基づいて前記映像表示端末が映像を受け取る際に用いるマルチキャストアドレスを変更するか否かを決定することを特徴とする。
【００１２】
【発明の実施の形態】
以下、添付図面を参照して本発明に係るカメラ映像監視システムを説明する。各図において、同一の構成要素には同一の符号を付して重複する説明を省略する。図１には、本発明に係るカメラ映像監視システムの構成例が示されている。同図に示されるように、このシステムは、ネットワーク１に映像配信装置２−１、２−２と映像表示端末３−１、３−２が接続された構成を有する。映像配信装置と映像表示端末は、３台以上でも良く、また同数である必要はない。
【００１３】
映像配信装置２−１、２−２には、それぞれ対応する監視カメラ４−１、４−２が接続されており、監視カメラ４−１、４−２により撮像された監視対象の映像信号（例えば、ＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）方式信号）は映像配信装置２−１、２−２へ送られてネットワーク１を伝送可能なＭＰＥＧ２（  Ｍｏｖｉｎｇ  Ｐｉｃｔｕｒｅ  Ｅ  ｘｐｅｒｔｓ  Ｇｒｏｕｐ２）方式等の映像情報に変換されて配信される。
【００１４】
ネットワーク１にはＩＰ（インターネット・プロトコル）による伝送方式が採用されており、映像情報はマルチキャストアドレスを用いて配信されている。また、ネットワーク１には、映像配信装置２−１、２−２と映像表示端末３−１、３−２に対する管理を行う管理制御装置５が接続されている。この管理制御装置５には、映像配信装置が映像を送る際に用いるマルチキャストアドレスを変更する変更手段６が備えられている。
【００１５】
上記管理制御装置５、映像表示端末３−１、３−２はパーソナルコンピュータ等から構成され、映像配信装置２−１、２−２における映像配信等を行う部分もパーソナルコンピュータ等から構成されているので、この構成を説明する。
【００１６】
映像配信装置２−１、２−２の一部、管理制御装置５、映像表示端末３−１、３−２は、図２に示されるような構成に係るワークステーション、パーソナルコンピュータ、その他の計算機として構築される。すなわち、図２の計算機は、装置を統括制御するＣＰＵ５１を有し、このＣＰＵ５１に上記ＣＰＵ５１が用いるプログラム及びデータ等の情報が記憶される主記憶装置５２が接続されている。更に、ＣＰＵ５１には、システムバス５３を介してキーボード制御部５４、表示制御部５５、プリンタ制御部５６、通信インタフェース５７、マウス制御部５８、磁気ディスク制御部５９が接続されている。キーボード制御部５４には各種情報をキー入力可能なキーボード入力装置６０が接続され、表示制御部５５には情報を表示するためのＣＲＴ表示装置６１が接続され、プリンタ制御部５６には情報を印字出力するためのプリンタ装置６２が接続され、通信インタフェース５７には回線からネットワーク１を介して通信を行うための通信処理部６３が接続され、マウス制御部５８にはポインティングディバイスであるマウス６４が接続され、磁気ディスク制御部５９には補助記憶装置である磁気ディスク装置６５が接続されている。必要に応じてフレキシブルディスクドライブ、磁気カード或いはＩＣカードリーダ、ＭＯ（光磁気ディスク）ドライブ等が設けられる。
【００１７】
なお、映像配信装置２−１、２−２には、ＣＰＵ５１、主記憶装置５２、通信インタフェース５７、通信処理部６３が少なくとも設けられる。
【００１８】
映像配信装置２−１、２−２の例えば主記憶装置５２には、図３に示すように配信用マルチキャストアドレス（ｇｇｇｇ）が記憶されている。また、映像表示端末３−１の例えば主記憶装置５２には、図４（ａ）に示すように取得用マルチキャストアドレス（ｇｇｇｇ）が記憶されており、更に映像表示端末３−２の例えば主記憶装置５２には、図４（ｂ）に示すように取得用マルチキャストアドレス（ｇｇｇｇ，ｆｆｆｆ）が記憶されている。
【００１９】
映像配信装置２−１、２−２は、基本的に同一の動作を行うものであるから、映像配信装置２−１の動作を図６に示されているフローチャートを参照して説明する。映像配信装置２−１は、映像を配信する場面であるかを検出しており（Ｓ１）、映像を配信するときであると、既設定のマルチキャストアドレス（ｇｇｇｇ）を用いて映像をネットワーク１へ送出する（Ｓ２）。
【００２０】
上記対して、映像表示端末３−１、３−２は、図７に示されているフローチャートに対応するプログラムに基づき動作している。つまり、映像の取り込みを行うかを検出し（Ｓ１１）、取り込みを行う場合には図４（ａ）、（ｂ）に示したような既設定の１または２以上のマルチキャストアドレスを用いて映像の取り込みを行う（Ｓ１２）。
【００２１】
そして、ステップＳ１２に続いて映像の取得ができたのかを検出し（Ｓ１３）、映像の取得ができていれば、表示を行い得る方式へ情報の変換を行い映像を表示する（Ｓ１４）。
【００２２】
以上のように処理が行われる結果、映像配信装置２−１が既設定のマルチキャストアドレス（ｇｇｇｇ）を用いて映像をネットワーク１へ送出し、映像表示端末３−１が既設定のマルチキャストアドレス（ｇｇｇｇ）を用いて映像の取り込みを行い、映像表示端末３−２が既設定のマルチキャストアドレス（ｇｇｇｇ，ｆｆｆｆ）を用いて映像の取り込みを行うことになる。このため、映像表示端末３−１、３−２共に映像の取り込みに成功し、それぞれの端末において表示が行われることになる。
【００２３】
管理制御装置５においては、ＣＰＵ５１変更手段６として図８に示すフローチャートに対応するプログラムに基づく動作を行っている。即ち、配信側に設定するマルチキャストアドレスを変更する指示がなされたかを検出する（Ｓ２１）。この指示は変更対象の映像配信装置のアドレスや変更後のマルチキャストアドレスと共に、例えばキーボード入力装置６０からシステムの管理者が入力することができる。
【００２４】
上記ステップＳ２１において、変更することが検出されると、入力されている変更対象の映像配信装置のアドレスや変更後のマルチキャストアドレスを取り込み、変更対象の映像配信装置のアドレスによって宛先を指定し、変更の指示と変更後のマルチキャストアドレスを対象装置へ通知する（Ｓ２２）。
【００２５】
この例では、映像配信装置２−２へ新規のマルチキャストアドレス（ｆｆｆｆ）を通知したものとする。これに対して、映像配信装置２−２は図６に示されるフローチャートのプログラムに基づき動作している。そして、上記新規マルチキャストアドレスの設定の指示が到来すると、これを受けてステップＳ１からステップＳ３へ進み、ここのステップＳ３においてＹＥＳへ分岐する。
【００２６】
そして、送られてきた新規のマルチキャストアドレス（ｆｆｆｆ）を既設定のマルチキャストアドレス（ｇｇｇｇ）に代えて設定する（Ｓ４）。これは、図９に示される構成図において、矢印Ｋ１として示されている。この後には、映像配信装置２−２は、映像を配信する際にステップＳ２において上記マルチキャストアドレス（ｆｆｆｆ）を既設定のマルチキャストアドレスとして用いるので、映像情報はマルチキャストアドレス（ｆｆｆｆ）を用いて配信される。
【００２７】
既に説明したように、映像表示端末３−１、３−２は、図７に示されるフローチャートに対応するプログラムに基づき動作している。映像配信装置２−２による上記配信に対して、映像表示端末３−１が既設定のマルチキャストアドレス（ｇｇｇｇ）を用いて映像の取り込みを行い、映像表示端末３−２が既設定のマルチキャストアドレス（ｇｇｇｇ，ｆｆｆｆ）を用いて映像の取り込みを行うことになる。このため、映像表示端末３−１は映像の取り込みに失敗し、映像表示端末３−２は映像の取り込みに成功し、映像表示端末３−２において表示が行われることになる（図９）。
【００２８】
以上のようにして本実施例によれば、映像配信装置が用いるマルチキャストアドレスを変更することにより、聴取可能な映像表示端末の制限をかけることができる。つまり、映像表示端末３−１が映像配信装置２−２から配信される映像を見ることができなくなる。
【００２９】
また、管理制御装置５の変更手段６は、映像配信装置が映像を送る際に用いるマルチキャストアドレスの変更に応じて、上記映像表示端末が映像を受け取る際に用いるマルチキャストアドレスを変更する。このとき、映像表示端末の権限情報に基づいて映像表示端末が映像を受け取る際に用いるマルチキャストアドレスを変更するか否かを決定する。
【００３０】
そのために、管理制御装置５の例えば主記憶装置５２には、図５に示されるような映像表示端末毎の権限情報が記憶されたテーブルが記憶されている。映像表示端末識別情報００１は映像表示端末３−１のものであり、００２は映像表示端末３−１のものである。また、権限情報Ａは全ての変更に対応して変更する権限であり、権限情報Ｂは或る映像配信装置に対する変更に対応する権限であり、権限情報Ｃは全ての変更に対応して全く変更しない権限とする。
【００３１】
管理制御装置５においては、ＣＰＵ５１変更手段６として図１０に示すフローチャートに対応するプログラムに基づく動作を行っている。配信側に設定するマルチキャストアドレスを変更する動作は、図８の説明においてステップＳ２１、Ｓ２２に既述の通りである。ステップＳ２２に続いて図５に示されるテーブルを用いて参照して変更したマルチキャストアドレスを取得する権限を持つ端末の識別情報を検索する（Ｓ２３）。
【００３２】
この実施例では、映像表示端末３−１、３−２がシステムに存在する例としているから、映像表示端末３−１は権限情報Ａが与えられ、映像表示端末３−２は権限情報Ｃが与えられている。そこで、変更したマルチキャストアドレスを取得する権限を持つ端末の識別情報として、００１が検索される。これは、映像表示端末３−１である。
【００３３】
そして、管理制御装置５は、端末側に設定するマルチキャストアドレスを変更するかを検出してＹＥＳへ分岐する（Ｓ２４）。ステップＳ２４において、変更することが検出されると、変更する映像表示端末３−１のアドレスや変更後のマルチキャストアドレス（ｆｆｆｆ）を取り込み、変更対象の映像表示端末３−１のアドレスによって宛先を指定し、変更の指示と変更後のマルチキャストアドレスを対象装置へ通知する（Ｓ２５）。
【００３４】
映像表示端末３−１は、図７に示されるフローチャートのプログラムに基づき動作している。そして、上記新規マルチキャストアドレスの設定の指示が到来すると、これを受けてステップＳ１１からステップＳ１５へ進み、ここのステップＳ１５においてＹＥＳへ分岐する。
【００３５】
そして、送られてきた新規のマルチキャストアドレス（ｆｆｆｆ）を既設定のマルチキャストアドレス（ｇｇｇｇ）に代えて設定する（Ｓ１６）。これは、図１１に示される構成図において、矢印Ｋ２として示されている。この後には、映像表示端末３−１は、映像を取得する際にステップＳ１２において上記マルチキャストアドレス（ｆｆｆｆ）を既設定のマルチキャストアドレスとして用いるので、映像配信装置２−２よりマルチキャストアドレス（ｆｆｆｆ）を用いて配信される映像情報を取得することができ、映像表示端末３−１においても表示が行われることになる（図１１）。
【００３６】
斯して、映像配信装置が映像を送る際に用いるマルチキャストアドレスの変更がなされると、映像表示端末の権限情報に基づいて映像表示端末が映像を受け取る際に用いるマルチキャストアドレスを変更するか否かを決定して、所要の権限を有する映像表示端末が引き続き映像を聴取可能にすることができる。
【００３７】
なお、権限情報は、３段階以上に細かくするなど様々に変更することができ、また、権限情報として具体的なマルチキャストアドレスを登録しておき、変更されたマルチキャストアドレスが当該登録のマルチキャストアドレスに一致（不一致）する場合に変更する（変更しない）ようにすることもできる。
【００３８】
【発明の効果】
以上説明したように本発明によれば、映像を送る際に用いるマルチキャストアドレスを変更することができるので、配信する映像を表示できる端末を制限したり、また制限を解除したり動的な聴取制御を行うことが可能となる。
【図面の簡単な説明】
【図１】本発明に係るカメラ映像監視システムの構成を示すブロック図。
【図２】本発明に係るカメラ映像監視システムを構成する要部装置の詳細を示すブロック図。
【図３】本発明に係るカメラ映像監視システムの映像配信装置に設定されているマルチキャストアドレスの一例を示す図。
【図４】本発明に係るカメラ映像監視システムの映像表示端末に設定されているマルチキャストアドレスの一例を示す図。
【図５】本発明に係るカメラ映像監視システムの管理制御装置に保持されている各映像表示端末の権限情報の一例を示す図。
【図６】本発明に係るカメラ映像監視システムの映像配信装置の動作を説明するためのフローチャート。
【図７】本発明に係るカメラ映像監視システムの映像表示端末の動作を説明するためのフローチャート。
【図８】本発明に係るカメラ映像監視システムの第１の実施例に係る管理制御装置の動作を説明するためのフローチャート。
【図９】本発明に係るカメラ映像監視システムの第１の実施例に係る管理制御装置によるマルチキャストアドレス変更の際の動作を説明するための図。
【図１０】本発明に係るカメラ映像監視システムの第２の実施例に係る管理制御装置の動作を説明するためのフローチャート。
【図１１】本発明に係るカメラ映像監視システムの第２の実施例に係る管理制御装置によるマルチキャストアドレス変更の際の動作を説明するための図。
【符号の説明】
１  ネットワーク
２−１、２−２  映像配信装置
３−１、３−２  映像表示端末
４−１、４−２  監視カメラ
５  管理制御装置
６  変更手段
【図１】
2004235880.tif 000003
【図２】
2004235880.tif 000004
【図３】
2004235880.tif 000005
【図４】
2004235880.tif 000006
【図５】
2004235880.tif 000007
【図６】
2004235880.tif 000008
【図７】
2004235880.tif 000009
【図８】
2004235880.tif 000010
【図９】
2004235880.tif 000011
【図１０】
2004235880.tif 000012
【図１１】
2004235880.tif 000013